(57)【要約】【課題】電池ハッチが本体ケースの裏蓋に設けられ、且つ圧電素子を利用した報音装置を備えた携帯型電子機器において、電池交換を容易にすると共に、電池サイズの大小にかかわらず報音装置の音量と音質が低下しないようにすること。【解決手段】電池ハッチ３０を表側蓋部３１と裏側蓋部３２とで内部空間３３を形成する二重蓋構造とした。裏側蓋部３２には電池ホルダー３４を設け、更に裏側蓋部３２の下面に圧電素子１４を固定した。電池ハッチ３０の表側蓋部３１には放音口３１ｂを形成した。電池ハッチ３０は裏蓋１２と同心状に配置した。保持された電池２０と圧電素子１４との間に所定のすきまを維持する電池台部３５を電池ホルダー３４に設けた。圧電素子１４は、接触ばね１７と導通基板３６とを介して回路基板１６に電気的に接続した。【選択図】　　図１
2004053458.tif 000002
【特許請求の範囲】
【請求項１】
電池ハッチを本体ケースの裏蓋に備えた携帯型電子機器において、前記電池ハッチに電池ホルダーを設けたことを特徴とする携帯型電子機器。
【請求項２】
電池ハッチを裏蓋に備え且つ圧電素子を利用した報音装置を備えた携帯型電子機器において、前記電池ハッチに電池ホルダーを設け、且つ前記電池ハッチの下面に圧電素子を固定したことを特徴とする携帯型電子機器。
【請求項３】
電池ハッチを裏蓋に備え且つ圧電素子を利用した報音装置を備えた携帯型電子機器において、前記電池ハッチを表側蓋部と裏側蓋部とで内部空間を形成する二重蓋構造とし、前記裏側蓋部に電池ホルダーを設け、更に前記裏側蓋部の下面に圧電素子を固定したことを特徴とする携帯型電子機器。
【請求項４】
前記電池ハッチの表側蓋部には放音口が形成されていることを特徴とする請求項３の携帯型電子機器。
【請求項５】
前記電池ハッチは前記裏蓋と同心状に配置されていることを特徴とする請求項１乃至３のいずれかに記載の携帯型電子機器。
【請求項６】
保持された電池と前記圧電素子との間に所定のすきまを維持する電池台部が前記電池ホルダーに設けられていることを特徴とする請求項３に記載の携帯型電子機器。
【発明の詳細な説明】
【０００１】
【発明の属する技術分野】
本発明は、電池ハッチを本体ケースの裏蓋に備えた電子腕時計等の携帯型電子機器に関し、特に、圧電素子を利用した報音装置及び電池ハッチを備えた携帯型電子機器に関する。
【０００２】
【従来の技術】
電子腕時計には電源としてボタン電池の如き電池が用いられているが、本体ケースの電池収納部に収納されている電池は裏蓋を取外さないと交換することができない。裏蓋を取外すには時計店に備えられている特別な治具が必要であるため、ユーザーが自分自身で電池交換することができない。そこで、ユーザーが自分自身で電池交換することができるように、裏蓋に電池ハッチを備えた電子腕時計が開発された。
【０００３】
着脱可能な電池交換用蓋である電池ハッチを裏蓋に備えた電子腕時計が登場したことにより、ユーザーは自分自身で電池交換することが可能になった。しかしながら、電池は本体ケース内に固定されたムーブメントの一部に設けられた筒状の電池収納部に収納されていること、及び電池ハッチは前記電池収納部に収納されている電池のサイズに対応したものであるため、電池交換は容易ではない。
【０００４】
まして、電池ハッチを裏蓋に備え且つ圧電素子を利用した報音装置を備えた電子腕時計は、本体ケースの裏蓋は振動板として機能するように構成されているため、電池交換は決して容易ではない。裏蓋を振動させるために、圧電素子と前記電池収納部に収納された電池との間に所定のすきまを維持するための電池押さえ部が存在するからである。
【０００５】
圧電素子を利用した報音装置は、圧電素子に駆動電圧を供給する駆動電圧供給手段と、圧電素子の振動に共振して音を発生させる振動板とから構成されている。圧電素子を利用した報音装置を備えた携帯型電子機器においては、本体ケースや裏蓋とは独立した部材の振動板でなく、上述の如く前記裏蓋を振動板に兼用したものが一般的である。
【０００６】
従来、電池ハッチを裏蓋に備え且つ圧電素子を利用した報音装置を備えた電子腕時計は、小型電池で駆動されるものと大型電池で駆動されるものの２種類ある。
【０００７】
先ず、小型電池用の電池ハッチを備えた電子腕時計は、図５に平面図（Ａ）と断面図（Ｂ）で示す如く、圧電素子によって裏蓋を振動させて音を発生させるようにした電子腕時計である。電池ハッチ１８は、電池収納部１９に対応した位置に電池ハッチ用開口が形成された裏蓋１２に、バイオネット式固定構造で固定されている。電池収納部１９は本体ケース１１の中心から偏った位置において、ムーブメント１５に形成されている。従って、電池ハッチ１８は裏蓋１２の中心と偏心した位置に配置されている。圧電素子１４は裏蓋１２の裏面に接着剤で固定され、且つ導通ばね１７を介して回路基板１６に電気的に接続されている。本体ケース１１の表側はガラス１３によって封止されている。電池収納部１９に収納された小型の電池２２は、裏蓋１２を振動させるために、圧電素子１４と電池２２との間に所定のすきまを維持するための電池押さえ部材２１によって電池収納部１９の底の方向に押えられている。
【０００８】
次に、大型電池用の電池ハッチを備えた電子腕時計は、図４に平面図（Ａ）と断面図（Ｂ）で示す如く、圧電素子によって裏蓋を振動させて音を発生させるようにした電子腕時計である。電池ハッチ１８は、電池収納部１９に対応した位置に電池ハッチ用開口が形成された裏蓋１２に、バイオネット式固定方法で固定されている。電池収納部１９は本体ケース１１と同心状にして、ムーブメント１５に形成されている。従って、電池ハッチ１８は裏蓋１２と同心状に配置されている。圧電素子１４は電池ハッチ１８の裏面に接着剤で固定され、且つ導通ばね１７を介して回路基板１６に電気的に接続されている。本体ケース１１の表側はガラス１３によって封止されている。電池収納部１９に収納された大型の電池２２は、裏蓋１２を振動させるために、圧電素子１４と電池２２との間に所定のすきまを維持するための電池押さえ部材２１によって電池収納部１９の底の方向に押えられている。
【０００９】
このような構造であるため、ユーザーがマイナス溝１８ａにコインやドライバーを差込んで電池ハッチ１８を裏蓋１２から外しても、電池押さえ部材２１が電池２２を押えているために、電池２２を電池収納部２１から取出すことは容易ではなく、従って電子腕時計の電池交換を容易に行うことができないという問題がある。
【００１０】
更に、電池ハッチを裏蓋に備え且つ圧電素子を利用した報音装置を備えた電子腕時計において、本体ケース１１の裏蓋１２は圧電素子１４に共振して音を発生させる振動板としても機能するように構成されているため、大きなサイズの電池２２を用いた場合には報音装置の音量や音質が低下するという問題がある。図４と図５とを比較すれば明らかな如く、電池２２のサイズが大きくなれば電池ハッチ１８の面積が大きくなり、従って振動板として機能する裏蓋１２の実効面積が減少するからである。
【００１１】
【発明が解決しようとする課題】
本発明が解決しようとする第１の課題は、電池ハッチが本体ケースの裏蓋に設けられた携帯型電子機器において、電池交換を容易にすることである。
【００１２】
本発明が解決しようとする第２の課題は、電池ハッチが本体ケースの裏蓋に設けられ、且つ圧電素子を利用した報音装置を備えた携帯型電子機器において、電池交換を容易にすると共に、電池サイズの大小にかかわらず報音装置の音量と音質が低下しないようにすることである。
【課題を解決するための手段】
【００１３】
上記第１の課題を解決するために、電池ハッチが本体ケースの裏蓋に設けられた携帯型電子機器において、前記電池ハッチに電池ホルダーを設けた。そして、前記電池ハッチは前記裏蓋と同心状に配置した。
【００１４】
上記第２の課題を解決するために、電池ハッチが本体ケースの裏蓋に設けられ、且つ圧電素子を利用した報音装置を備えた携帯型電子機器において、前記電池ハッチに電池ホルダーを設け、且つ前記電池ハッチの下面に圧電素子を固定した。
【００１５】
また、上記第２の課題を解決する携帯型電子機器において、前記電池ハッチを表側蓋部と裏側蓋部とで内部空間を形成する二重蓋構造とし、前記裏側蓋部に電池ホルダーを設け、更に前記裏側蓋部の下面に圧電素子を固定した。そして、前記電池ハッチの表側蓋部には放音口を形成した。
【００１６】
更に、上記第２の課題を解決する携帯型電子機器において、前記電池ハッチは前記裏蓋と同心状に配置した。
【００１７】
更にまた、上記第２の課題を解決する携帯型電子機器において、保持された電池と前記圧電素子との間に所定のすきまを維持する電池台部を、前記電池ホルダーに設けた。
【００１８】
【発明の実施の形態】
本発明の一実施形態は、図１〜図３に示す如く、電池ハッチ１８を本体ケース１１の裏蓋１２に設け且つ圧電素子１４を利用した報音装置を備えた電子腕時計において、電池ハッチ３０を裏蓋１２と同心状に配置し、且つ電池ハッチ１８に電池ホルダー３４を設けたものである。
【００１９】
電池ハッチ３０は表側蓋部３１と裏側蓋部３２を備えた二重蓋構造であって、円錐台状部材の表側蓋部３１と円板状部材の裏側蓋部３２との間には共鳴室として機能する内部空間３３が形成されている。
【００２０】
円錐台状部材の表側蓋部３１は、その表面の中央部には着脱用マイナス溝３１ａが形成され、その傾斜した外周面には複数の放音口３１ｂが形成されている。
【００２１】
円板状部材の裏側蓋部３２の裏面には、その中央部に圧電素子１４が接着材によって固定され、その外周部には電池ハッチ固定部３２ａが形成されている。
【００２２】
電池ホルダー３４は、円板状部材の裏側蓋部３２の裏面に取り付けられている。電池ホルダー３４は、等角度間隔で配置された３枚の板ばね部材３４ａと、等角度間隔で配置された３枚のＬ字型板部材３５ａとで構成されている。
【００２３】
３枚の板ばね部材３４ａの固定端は、図１（Ｃ）に示す如く、一体に形成された固定用環状円板３４ｂを介して、円板状部材の裏側蓋部３２の裏面に接着又は溶着によって固定されている。又は、３枚の板ばね部材３４ａの固定端は、図２（Ｃ）若しくは図３（Ｃ）に示す如く、円板状部材の裏側蓋部３２の裏面に接着又は溶着によって固定されている。電池２０は、３枚の板ばね部材３４ａの弾性可動部によって保持される。このようにして、電池２０は電池ホルダー３４によって保持され、ムーブメント１５に形成された電池収納部１９内に収納される。
【００２４】
電池台部３５を構成するＬ字型板部材３５ａは、その一端が円板状部材の裏側蓋部３２の裏面に接着又は溶着によって固定され、電池ホルダー３４に保持される電池２０の電池台部として機能するものである。即ち、電池台部として機能するＬ字型板部材３５ａによって、電池ハッチ３０の裏側蓋部３２の裏面に固着された圧電素子１４と、電池ホルダー３４に保持された電池２０との間には所定のすきまが形成されている。
【００２５】
電池ハッチ３０の裏側蓋部３２の裏面に固着された圧電素子１４と回路基板１６とは導通ばね１７とフレキシブル基板等の導通基板３５を介して電気的に接続されている。導通ばね１７の一端は回路基板１４の所定の導通パターンに接触し、他端は導通基板３６に接触している。
【００２６】
導通基板３６は、圧電素子１４と部分的に接触し且つその外周に配置され、電池ハッチ３０の裏側蓋部３２の裏面に接着材によって固着されている。導通基板３６は、図１（Ｃ）と図２（Ｃ）に示す如く、電池ハッチ３０の裏側蓋部３２の裏面に部分的に配置された導通板部材、又は図３（Ｃ）に示す如く、電池ハッチ３０の裏側蓋部３２の裏面に電池２０と同心に円環状に配置された円環状板部材である。この円環状板部材３６は、電池２０の外径よりも大きな径の円環状板部材である。
【００２７】
電池ハッチ３０を裏蓋１２に着脱可能に取付ける構造は、図２に示す如きスクリュー式固定構造、又は、図１と図３に示す如きバイオネット式固定構造が採用されている。従って、円板状部材の裏側蓋部３２の裏面に一体に形成された係合突起３２ａは、スクリュー式固定構造又はバイオネット式固定構造に対応した形状である。勿論、係合突起３２ａと係合する裏蓋１２の電池ハッチ口の係合凹部は、スクリュー式固定構造又はバイオネット式固定構造に対応した形状である。
【００２８】
以上詳細に説明した如く、本発明の一実施形態は、電池ハッチ３０を本体ケース１１の裏蓋１２に備えた携帯型電子機器、又は、電池ハッチ３０を裏蓋１２に備え且つ圧電素子１４を利用した報音装置を備えた携帯型電子機器において、電池ハッチ３０に電池ホルダー３４を設けたことを特徴とする携帯型電子機器である。そして、電池ハッチ３０は表側蓋部３１と裏側蓋部３２とで内部空間３３を形成する二重蓋構造とし、裏側蓋部３２に電池ホルダー３４を設け、更に裏側蓋部３２の下面に圧電素子１４を固定した構造である。電池ハッチ３０は裏蓋１２と同心状に配置されている。
【００２９】
このような電池ハッチ構造であるため、ユーザーがマイナス溝３１ａにコインやドライバーを差込んで電池ハッチ３０を裏蓋１２から外すと、電池ホルダー３４に保持された電池２０は電池ハッチ３０と共に電池収納部１９から外に取出される。電池ホルダー３４は３枚の板ばね部材３４ａで構成されているので、ユーザーは電池２０を電池ホルダーから容易に取外せる。そして、新しい電池２０を電池ホルダー３４に簡単に取り付けることができる。電池ホルダー３４に新しい電池２０が取付けられた電池ハッチ３０は、ユーザーによって裏蓋１２の電池ハッチ口に嵌め込まれ、固定される。このようにして、ユーザーは簡単に電池交換を行うことができる。
【００３０】
また、上述のような電池ハッチ構造であるため、電池サイズの大きさに合わせて、電池ホルダー３４のサイズを容易に変更することができる。
【００３１】
更に、電池ハッチ３０は裏蓋１２と同心状に配置し、電池ハッチ３０を表側蓋部３１と裏側蓋部３２とで内部空間３３を形成する二重蓋構造とし、裏側蓋部３２に電池ホルダー３４を設け、更に裏側蓋部３２の下面に圧電素子１４を固定した構造としたことにより、電池サイズの大小にかかわらず、報音装置を所望の音質と音量が維持できるものとすることが可能となった。裏側蓋部３２の振動板となる部分の実効面積は、電池サイズによって殆ど影響を受けなくすることができるからである。また、表側蓋部３１と裏側蓋部３２で形成する内部空間の大きさ、放音口の大きさと形状を変更することによって、報音装置の音質と音量を変えることもできる。実施例で説明した携帯電子機器を腕に装着した場合でも、報音装置の音量と音質が低下しないようにすることができる。
【００３２】
【発明の効果】
電池ハッチが本体ケースの裏蓋に設けられた携帯型電子機器において、前記電池ハッチに電池ホルダーを備えたので、ユーザーの電池交換が容易になった。
【００３３】
また、電池ハッチが本体ケースの裏蓋に設けられ、且つ圧電素子を利用した報音装置を備えた携帯型電子機器において、前記電池ハッチを二重蓋構造とすると共に前記電池ハッチに前記圧電素子を固定し、更に前記電池ハッチに電池ホルダーを備えたので、電池交換が容易になると共に、電池サイズの大小にかかわらず報音装置の音量と音質が低下しないようにすることができた。
【００３４】
更に、前記電池ハッチは本体ケースの裏蓋に同心状に設けることができるので、大型電池から小型電池までの電池を保持できる電池ホルダーを提供することができた。
【図面の簡単な説明】
【図１】本発明に係る電池ハッチと報音装置を備えた電子腕時計の一実施形態であって、電池ハッチを閉じた状態の平面図（Ａ）、電池ハッチを閉じた状態の断面図（Ｂ）、及び電池とムーブメントを外した状態の電子腕時計の裏面図（Ｃ）である。
【図２】本発明に係る電池ハッチと報音装置を備えた電子腕時計の他の実施形態であって、スクリュー式固定構造を備えた電池ハッチの平面図（Ａ）、電池ハッチを閉じた状態の電子腕時計の断面図（Ｂ）、及び電池とムーブメントを外した状態の電子腕時計の裏面図（Ｃ）である。
【図３】本発明に係る電池ハッチと報音装置を備えた電子腕時計の更に他の実施形態であって、バイオネット式固定構造を備えた電池ハッチの平面図（Ａ）、電池ハッチを閉じた状態の電子腕時計の断面図（Ｂ）、及び電池ハッチを外した状態の電子腕時計の裏面図（Ｃ）である。
【図４】従来の大型電池用の電池ハッチと報音装置を備えた携帯型電子機器であって、電池ハッチを閉じた状態の平面図（Ａ）、及び断面図（Ｂ）である。
【図５】従来の小型電池用の電池ハッチと報音装置を備えた携帯型電子機器であって、電池ハッチを閉じた状態の平面図（Ａ）、及び断面図（Ｂ）である。
【符号の説明】
１１　ケース
１２　裏蓋
１３　ガラス
１４　圧電素子
１５　ムーブメント
１６　回路基板
１７　導通ばね
１８　電池ハッチ
１８ａ　マイナス溝
１９　電池収納部
２０　電池
２１　電池押え部材
３０　二重蓋構造の電池ハッチ
３１　表側蓋部
３１ａ　マイナス溝
３１ｂ　放音口
３２　裏側蓋部
３２ａ　電池ハッチ固定部
３３　内部空間
３４　電池ホルダー
３５　電池台部
３６　導通基板
【図１】
2004053458.tif 000003
【図２】
2004053458.tif 000004
【図３】
2004053458.tif 000005
【図４】
2004053458.tif 000006
【図５】
2004053458.tif 000007